(57)【要約】【課題】太陽電池モジュール用の端子ボックスにあって、外部接続ケーブルが接続された端子板の組み付け作業を簡略化し、引っ張り力に強い構造とする。【解決手段】端子板１０はケーブル接続部１１、出力電線受容部１３、丸穴１４と角穴を有し、角穴の側面の一部が内面接触側面２２である。筐体３０は底板３１から立ち上がる剛性柱３２とくさび柱３３及び回動防止壁３５を有している。くさび柱３３を剛性柱３２に近付ける方向に曲げつつ、丸穴１４に剛性柱３２とくさび柱３３を嵌め込み、内面接触側面２２が回動防止壁３５に接触して配置されている。【選択図】図３
2010267889.tif 000002
【特許請求の範囲】
【請求項１】
太陽電池モジュールの出力電線と外部接続用のケーブルを電気的に中継する端子板が筐体内に配置された太陽電池モジュール用の端子ボックスにおいて、
端子板がケーブル接続部、出力電線受容部と丸穴を有し、かつ、前記端子板の側面の一部が接触側面であり、
前記ケーブル接続部は外部接続用のケーブルが接続された部位であり、前記出力線受容部は太陽電池モジュールの出力電線をつなぐ部位であり、
前記丸穴の内周断面にあって、前記ケーブル接続部の中央部と前記丸穴の中心を結ぶ線に角度９０度で交差する第一直径線で２に区分され、前記ケーブル接続部から遠い側の内周線を剛性柱当接円弧とし、前記２に区分された内周線の他方である、前記ケーブル接続部に近い側の内周線をくさび柱当接円弧とし、
前記丸穴の内周面にあって、前記剛性柱当接円弧を含む面を剛性柱当接面とし、前記くさび柱当接円弧を含む面をくさび柱当接面とし、
前記筐体は、前記筐体の底板から立ち上がる剛性柱とくさび柱を有し、剛性柱断面の外周の一部分と前記くさび柱断面の外周の一部分は、前記丸穴の内周線と一致し、
前記剛性柱断面の面積は、前記丸穴断面の面積の１／２以上であり、
さらに前記筐体は、回動防止壁を有し、
前記くさび柱を前記剛性柱に近付ける方向に曲げつつ、前記丸穴に前記剛性柱とくさび柱を嵌め込み、曲げる力を解放して、前記剛性柱当接面と前記剛性柱の外周の一部分を当接させ、前記くさび柱当接面と前記くさび柱の外周の一部分を当接させて前記端子板を前記筐体に付着し、かつ、
前記接触側面が前記回動防止壁に接触して配置された太陽電池モジュール用の端子ボックス。
【請求項２】
前記くさび柱の先端部に鍔部を有し、前記端子板を前記筐体に付着した状態で、前記鍔部が前記端子板の表面に係止していることを特徴とする請求項１に記載した太陽電池モジュール用の端子ボックス。
【請求項３】
前記回動防止壁の先端部に軒を有し、前記端子板の側面の一部を回動防止壁に接触して配置した状態で、前記軒が前記端子板の表面に係止していることを特徴とする請求項１に記載した太陽電池モジュール用の端子ボックス。
【請求項４】
前記端子板はさらに角穴を有し、
前記接触側面は、前記角穴の一部側面である内面接触側面であり、
前記内面接触側面が前記回動防止壁に接触していることを特徴とする請求項１に記載した太陽電池モジュール用の端子ボックス。
【請求項５】
前記角穴は、出力電線受容部と前記丸穴の間に配置され、
前記内面接触側面は、角穴の側面の中で丸穴側に位置する側面であり、
前記内面接触側面は、第一直径線と平行な面であることを特徴とする請求項１に記載した太陽電池モジュール用の端子ボックス。
【発明の詳細な説明】
【技術分野】
【０００１】
本発明は太陽電池モジュール用端子ボックスに関するものである。
【背景技術】
【０００２】
筐体内に端子板が配置されている太陽電池モジュール用端子ボックスにあって、従来、端子板をネジにより筐体に組み付けているものがある（例えば特許文献１参照）。
【０００３】
また、端子板の浮き上がりや位置ずれを防止し端子板の組み付け作業性を改善するために、ボックスの基板に一体に設けられた二つの係止部によって、端子板を固定するものが提案されている（例えば特許文献２参照）。２つの係止部の一つは弾性係止片であり、他方は端子板の一端を嵌め込む係止溝である。
【０００４】
ネジにより組み付けるのでは、端子板組み付け作業の作業性が悪い。一方、弾性係止が提案されている従来の端子板は、ケーブル非接続の端子板である。外部接続ケーブルが接続された端子板は、外部接続ケーブルを通じて不測の引っ張り力が掛かることがある。従来は、外部接続ケーブルにケーブル押え部材を取り付けて、このような引っ張り力に備えている。
【先行技術文献】
【特許文献】
【０００５】
【特許文献１】特開２００８−５９９３１号公報
【特許文献２】特開２００５−３３２８６０号公報
【発明の概要】
【発明が解決しようとする課題】
【０００６】
解決しようとする問題点は、外部接続ケーブルを通じて不測の引っ張り力が掛かることがある外部接続ケーブルが接続された端子板と筐体との組み付けにあたり、
(1)組み付け作業を簡略化し、(2)引っ張り力に強い構造とすることにある。
【０００７】
本発明のその他の課題は、本発明の説明により明らかになる。
【課題を解決するための手段】
【０００８】
以下に課題を解決するための手段を述べる。理解を容易にするために、本発明の実施態様に対応する符号を付けて説明するが、本発明は当該実施態様に限定されるものではない。符号である数字は部品や部分などを集合的に示す場合がある。後に説明する実施例において個別の部品などを示す場合に、当該数字のあとにアルファベットの添字を付けているものがある。
【０００９】
本発明の一の態様にかかる太陽電池モジュール用の端子ボックスは、
太陽電池モジュールの出力電線と外部接続用のケーブルを電気的に中継する端子板が筐体内に配置された太陽電池モジュール用の端子ボックスにおいて、
端子板（１０）がケーブル接続部（１１）、出力電線受容部（１３）と丸穴（１４）を有し、かつ、前記端子板の側面の一部が接触側面であり、
前記ケーブル接続部（１１）は外部接続用のケーブルが接続された部位であり、前記出力線受容部（１３）は太陽電池モジュールの出力電線をつなぐ部位であり、
前記丸穴の内周断面にあって、前記ケーブル接続部（１１）の中央部（１１１）と前記丸穴の中心（１４２）を結ぶ線（１４３）に角度９０度で交差する第一直径線（１４５）で２に区分され、前記ケーブル接続部から遠い側の内周線を剛性柱当接円弧（１４６）とし、前記２に区分された内周線の他方である、前記ケーブル接続部に近い側の内周線をくさび柱当接円弧（１４７）とし、
前記丸穴の内周面にあって、前記剛性柱当接円弧を含む面を剛性柱当接面（１６）とし、前記くさび柱当接円弧を含む面をくさび柱当接面（１７）とし、
前記筐体（３０）は、前記筐体の底板から立ち上がる剛性柱（３２）とくさび柱（３３）を有し、剛性柱断面の外周の一部分と前記くさび柱断面の外周の一部分は、前記丸穴の内周線と一致し、
前記剛性柱断面の面積は、前記丸穴断面の面積の１／２以上であり、
さらに前記筐体は、回動防止壁（３５）を有し、
前記くさび柱を前記剛性柱に近付ける方向に曲げつつ、前記丸穴に前記剛性柱とくさび柱を嵌め込み、曲げる力を解放して、前記剛性柱当接面と前記剛性柱の外周の一部分を当接させ、前記くさび柱当接面と前記くさび柱の外周の一部分を当接させて前記端子板を前記筐体に付着し、かつ、
前記接触側面が前記回動防止壁に接触して配置されている。
【００１０】
本発明の一の好ましい実施態様において、太陽電池モジュール用の端子ボックスは、
前記くさび柱の先端部に鍔部（３４）を有し、前記端子板を前記筐体に付着した状態で、前記鍔部が前記端子板の表面（２３）に係止していてもよい。本好ましい実施態様によれば、より一層、端子板の浮き上がりが防止される端子ボックスとなる。
【００１１】
本発明の他の好ましい実施態様において、太陽電池モジュール用の端子ボックスは、
前記回動防止壁の先端部に軒（３６）を有し、前記端子板の側面の一部を回動防止壁に接触して配置した状態で、軒が前記端子板の表面（２３）に係止していてもよい。本好ましい実施態様によれば、より一層、端子板の浮き上がりが防止される端子ボックスとなる。
【００１２】
本発明のその他の好ましい実施態様において、太陽電池モジュール用の端子ボックスは、
前記端子板がさらに角穴（２１）を有し、
前記接触側面は、前記角穴の一部側面である内面接触側面（２２）であり、
前記内面接触側面が前記回動防止壁に接触していてもよい。本好ましい実施態様によれば、より一層、端子板の回動が防止される。
【００１３】
本発明のさらに他の好ましい実施態様において、太陽電池モジュール用の端子ボックスは、
前記角穴が出力電線受容部と前記丸穴の間に配置され、
前記内面接触側面は、角穴の側面の中で丸穴側に位置する側面であり、
前記内面接触側面は、第一直径線（１４５）と平行な面であってもよい。本好ましい実施態様によれば、ケーブル接続部から丸穴方向へ向かう外力への対抗が、内面接触側面と接触した回動防止壁によっても行われる。よって、より一層端子板の移動が防止される。
【００１４】
加えて、端子板の組み付け作業時に、出力電線受容部を底板開口部に退避させることができる。本好ましい実施態様は、底板開口部を持つ端子ボックス、言い換えれば太陽電池モジュールの裏面に付着するタイプの端子ボックス用途に、一層相応しい端子ボックスとなる。
【００１５】
以上説明した本発明、本発明の好ましい実施態様、これらに含まれる構成要素は可能な限り組み合わせて実施することができる。
【発明の効果】
【００１６】
本発明にかかる端子ボックスは、その他の構成要素とともに、筐体が剛性柱とくさび柱を有し、端子板の丸穴内に剛性柱とくさび柱を位置付けて筐体内に端子板を付着するとともに、ケーブル接続部に対面する側の剛性柱当接面に、剛性柱の外周が当接した状態で付着される。
【００１７】
よって、筐体内への端子板の組み付け作業が簡略化される利点がある。また、外部接続ケーブルを通じての引っ張り力について、引張力の掛かる方向に対抗して剛性柱が配置されている。このため、端子板の引っ張り力耐性が強いという利点がある。
【図面の簡単な説明】
【００１８】
【図１】図１は端子ボックスの説明図であり、（ａ）は蓋を除いた平面図、（ｂ）は蓋を付けた平面図、（ｃ）は底面図、（ｄ）は正面図である。
【図２】図２は端子ボックスの垂直断面図であり、図１中にＡ−Ｂ線で示した部分の断面図である。
【図３】図３は端子ボックス内に端子板を組み付ける作業を説明する図であり、当該作業は（ａ）、（ｂ）、（ｃ）の順に進行する。
【図４】図４は端子板の斜視説明図である。
【図５】図５は端子板の平面断面図である。
【図６】図６は剛性柱とくさび柱の平面図である。
【図７】図７は剛性柱とくさび柱の垂直断面図である。
【図８】図８は剛性柱とくさび柱の水平断面図であり、図７中にＣ−Ｄ線で示した部分の断面図である。
【図９】図９は回動防止壁の垂直断面図である。
【発明を実施するための形態】
【００１９】
以下、図面を参照して本発明の実施例にかかる太陽電池モジュール用端子ボックスをさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２０】
図１を参照して、太陽電池モジュール用の端子ボックス１は筐体３０内に、端子板１０ａ、１０ｂが配置されている。本明細書において、数字とアルファベットからなる符合は、同一部品や部分が２ある場合に当該部品や部分を個別に示す場合に使用している。例えば、単一の筐体３０内に端子板１０が２個配置されているので、端子板を１０ａ、１０ｂの符号で示している。
【００２１】
端子板１０ａ、１０ｂは太陽電池モジュールの出力電線と外部接続用のケーブル５１ａ、５１ｂを電気的に中継するものである。端子板１０はケーブル接続部１１、出力電線受容部１３、丸穴１４と角穴２１を有している。外部接続用のケーブル５１は、被覆を剥離して芯線を露出し、バレル部１２を変形させて当該芯線をバレル部に巻き込んで端子板に固定している。外部接続用のケーブルと端子板の電気接続は、その他の公知の手段、例えば、半田付け、スポット溶接、これらの２以上の手段の併用などで行なってもよい。
【００２２】
太陽電池モジュールの出力電線は、出力電線受容部１３に、例えば、半田付けで電気接続される。出力電線は、例えば、リボン状電線が使用される。なお、太陽電池モジュールと太陽電池モジュールの出力電線は、図示を省略している。
【００２３】
筐体３０は、筐体の底板３１から立ち上がる剛性柱３２とくさび柱３３を有している。また、筐体３０は回動防止壁３５を有している。端子板１０の丸穴１４に剛性柱３２とくさび柱３３を嵌合することにより、端子板１０は筐体３０に付着される。また、当該付着状態にあって、端子板１０の接触側面が回動防止壁３５に接触して配置される。
【００２４】
出力電線受容部１３ａ、１３ｂに相応する底面は開口しており、底板開口部５２を形成している。太陽電池モジュールの出力電線は、底板開口部５２を通過して端子ボックス内に導かれる。
【００２５】
端子板１０ａと端子板１０ｂ間にはダイオード５３が接続されている。ダイオード５３は太陽電池モジュールへ逆流が流れることを防止などするものである。
【００２６】
端子ボックスの底面裏面は接着剤塗布部５４があり、接着剤が塗られている。当該接着剤により太陽電池モジュールの裏面に貼り付けられる。あるいは、太陽電池モジュールの側面に貼り付けられる場合もある。出力電線の結線などの作業が終了すると、蓋５５が閉じられる。
【００２７】
図５を参照して丸穴１４の部分などを説明する。図５は端子板の平面断面図である。丸穴の中心を中心点１４２で示した。ケーブル接続部１１の中央部を中央部１１１で示した。中央部１１１は、長方形状あるいはこれに類似する形状の領域であるケーブル接続部領域の重心点を求め、これを中央部とすればよい。
【００２８】
ケーブル接続部の中央部１１１と丸穴の中心点１４２を結ぶ線分１４３を得る。丸穴１４の直径線の中で、線分１４３と角度９０度で交わる第一直径線１４５を考える。丸穴１４の内周線は、第一直径線１４５で２に区分される。ケーブル接続部から遠い側の内周線を剛性柱当接円弧１４６とする。２に区分された内周線の他方である、ケーブル接続部に近い側の内周線をくさび柱当接円弧１４７とする。
【００２９】
以上、断面を考察してきたが、ここで、厚さを有する実際の丸穴１４に戻る。丸穴１４の内周面にあって、剛性柱当接円弧１４６を含む面を剛性柱当接面１６とし、くさび柱当接円弧１４７を含む面をくさび柱当接面１７とする。
【００３０】
例えば、ケーブルを掴んで引っ張るような引っ張り力が付加されると、当該力はケーブル、ケーブル接続部のある端子板に伝達される。そして、剛性柱当接面１６が、直接当該引っ張り力を受ける面となる。
【００３１】
角穴２１は内面接触側面２２と案内面２５、２６を持つ。案内面２５と案内面２６は、端子板の組込み時に、内面接触側面２２が回動防止壁３５に正対するように端子板を案内する役目をする。内面接触側面２２は、また、第一直径線１４５と平行な面であることが好ましい。
【００３２】
角穴２１は、端子板１０において、出力電線受容部１３と丸穴１４の間に配置されることが好ましい。角穴２１の側面には、丸穴側に位置する側面や出力電線受容部側の側面２２９などが含まれる。内面接触側面２２は丸穴側に位置する側面であることが好ましい。
【００３３】
図３を参照しつつ後述する端子板の組み付けにあたり、内面接触側面２２が傾斜の軸となる状態で、端子板が組み付けられる。そして、太陽電池モジュールの底面付着タイプ端子ボックスにあっては、通常、底板開口部が空いていて、傾斜された端子板の出力電線受容部が、当該底板開口部に退避できる。
【００３４】
端子板１０の材質は、例えば、銅、黄銅、アルミニウム、スズめっき銅やスズめっき黄銅である。端子板１０の厚さは、通常、０．５ｍｍから５ｍｍ、より好ましくは０．６ｍｍから１．２ｍｍである。
【００３５】
剛性柱とくさび柱の形状や大きさなどを説明する。図６は剛性柱とくさび柱の平面図であり、図７は剛性柱とくさび柱の垂直断面図であり、図８は剛性柱とくさび柱の水平断面図である。
【００３６】
剛性柱断面の外周（破線矢印３２２でその範囲を示している）とくさび柱断面の外周（破線矢印３３２でその範囲を示している）は、丸穴の内周線と一致する。ここで、例えば、剛性柱断面の外周が正多角形の一部であって、各頂点において丸穴の内周線と一致するものであってもよい。くさび柱断面の外周にあっても、同様である。したがって、剛性柱断面の外周の一部分と前記くさび柱断面の外周の一部は、前記丸穴の内周線と一致してもよい。
【００３７】
剛性柱断面の面積は、丸穴断面の面積の１／２以上である。丸穴の直径の下限値は、通常３ｍｍ、好ましくは４ｍｍである。この範囲にあれば、剛性柱が引っ張り力に強くなる。丸穴の直径の上限値は、端子板の寸法に依存する。実用上の数値を挙げると、通常１５ｍｍ、好ましくは１０ｍｍ、より好ましくは８ｍｍである。
【００３８】
くさび柱は、剛性柱側に曲げることができる。剛性柱とくさび柱の対を丸穴に嵌合させるためには、当該可撓性が必要である。本実施例にあって、くさび柱の断面形状はほぼ長方形であり、寸法は略２ｍｍ×略１ｍｍである。筐体の材料は、従来の端子ボックスの材料と変わらず、例えば、変性ＰＰＥ、ポリフェニレンエーテル、ポリフェニレンスルフィド、その他の合成樹脂などを使用する。本実施例においては、変性ポリフェニレンエーテルを使用しており、上記形状と寸法のくさび柱は曲げることができる。
【００３９】
くさび柱はその先端部に鍔部３４がある。鍔部３４の下部が、端子板の表面２３に係合し、端子板の浮き上がりが防止される。
【００４０】
剛性柱とくさび柱は、底板の上に形成された柱基台３７の上に形成される。柱基台３７は、端子板１０の裏面２４が接触する箇所である。このため、端子板１０は、底板から一定距離浮いた状態に固着される。柱基台３７に加えて、端子板の裏面を受ける１以上の浮上台を設けてもよい。
【００４１】
剛性柱３２の断面外周３２２を含む外周面は丸穴の剛性柱当接面と当接する状態で、端子板は筐体に付着される。引っ張り力などに強い剛性柱が、外部接続ケーブルからの不測の力を、適切な方向から受けることになり、端子板は引っ張り力に耐える付着方法で組み付けられる。
【００４２】
図９は回動防止壁の垂直断面図である。回動防止壁は、底板３１から立ち上がる壁状体である。端子板の回動が防止される。先端に軒３６が形成され、軒３６の下面部分が端子板１０の表面２３に係止する。このため、端子板が、より一層、浮き上がりが防止される。
【００４３】
次に、図３を参照しつつ、筐体３０内への端子板の組み付け作業を説明する。まず、端子板１０のケーブル接続部１１にケーブルを取り付ける。続いて、図３（ａ）に示すように、端子板１０のケーブル接続部１１を持ち上げつつ、角穴２１内に回動防止壁３５を位置付ける。端子板１０は、出力電線受容部１３と丸穴１４の間に角穴２１が配置され、かつ、内面接触側面が第一直径線１４２と平行面である。このため、ケーブル接続部１１を持ち上げつつ、角穴２１内に回動防止壁３５を位置付けることができる。ケーブル接続部１１側を持ち上げるので、ケーブルが既に付着されているにも拘わらず、筐体内にケーブルが入り込むこともなく、スムースに作業を行うことができる。
【００４４】
図３（ｂ）の図示状態に移行する。くさび柱３３に剛性柱３２の方向に力を加える。当該力の方向を矢印６１で示した。当該力によりくさび柱３３が曲がり、くさび柱と剛性柱の相対位置が近づく。
【００４５】
くさび柱を曲げた状態を維持しつつ、端子板１０のケーブル接続部１１を底板３１の方向に近づけ、丸穴に、くさび柱と剛性柱を入れる。端子板１０の裏面２４が柱基台３７に当接して、端子板１０の上下位置が決まる。
【００４６】
図３（ｃ）の図示状態に移行する。くさび柱に加えた力を解放すると、くさび柱は矢印６２に示した方向に復帰する。くさび柱と剛性柱一対の外周と丸穴の内周は嵌合する寸法であるから、これらの間の摩擦などにより、端子板は筐体に付着され、容易に抜けることはない。もっとも、剛性柱とくさび柱及び丸穴の相互摩擦作用のみでは、端子板は抜けないが、回動する。端子板の回動防止は、回動防止壁と内面接触側面の当接により図られる。
【００４７】
くさび柱の鍔部３４の下面が端子板の表面２３と係合している。これにより端子板が抜けることを、より一層防止している。また、回動防止壁３５の軒３６の下面が端子板の表面２３と係合している。これにより端子板の出力電線受容部１３が浮き上がることを、より一層防止している。
【００４８】
以上説明した本発明にあって、端子板の側面の一部が接触側面であってもよい。回動防止壁３５は、例えば、筐体の側板、二個の端子板の間に設置される隔壁であってもよい。ここで筐体の側板とは、筐体の内側と外側を隔てる壁であり、底板から上方に向かう板を意味している。
【００４９】
端子板の平面形状に特に制限はない。例えば、丸穴と出力電線受容部を含む領域が方形であってもよく、二以上の四角形が組み合わされたものでもよい。任意の端に切れ込みを入れて、当該切り込みにより生じる側面を接触側面としてもよい。
【符号の説明】
【００５０】
１    端子ボックス
１０  端子板
１１  ケーブル接続部
１３  出力電線受容部
１４  丸穴
１５  内周面
１６  剛性柱当接面
１７  くさび柱当接面
２１  角穴
２２  内面接触側面
２３  端子板表面
２４  端子板裏面
３０  筐体
３１  底板
３２  剛性柱
３３  くさび柱
３４  鍔部
３５  回動防止壁
３６  軒
３７  柱基台
５１  ケーブル
５２  底板開口部
５３  ダイオード
５５  蓋
１４５  第一直径線
１４６  剛性柱当接円弧
１４７  くさび柱当接円弧
３２１  剛性柱断面
３２２  剛性柱断面外周
３３１  くさび柱断面
３３２  くさび柱断面外周
【図１】
2010267889.tif 000003
【図２】
2010267889.tif 000004
【図３】
2010267889.tif 000005
【図４】
2010267889.tif 000006
【図５】
2010267889.tif 000007
【図６】
2010267889.tif 000008
【図７】
2010267889.tif 000009
【図８】
2010267889.tif 000010
【図９】
2010267889.tif 000011
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
太陽電池モジュールの出力電線と外部接続用のケーブルを電気的に中継する端子板が筐体内に配置された太陽電池モジュール用の端子ボックスにおいて、
端子板がケーブル接続部、出力電線受容部と丸穴を有し、かつ、前記端子板の側面の一部が接触側面であり、
筐体は、前記筐体の底板から立ち上がる剛性柱とくさび柱を有し、さらに前記筐体は回動防止壁を有し、
前記剛性柱と前記くさび柱を前記丸穴に嵌め込むことにより前記端子板を前記筐体に付着していて、
前記ケーブル接続部は外部接続用のケーブルが接続された部位であり、前記出力電線受容部は太陽電池モジュールの出力電線をつなぐ部位であり、
前記丸穴の内周断面にあって、前記ケーブル接続部の中央部と前記丸穴の中心を結ぶ線に角度９０度で交差する第一直径線で２に区分され、前記ケーブル接続部から遠い側の内周線を剛性柱当接円弧とし、前記２に区分された内周線の他方である、前記ケーブル接続部に近い側の内周線をくさび柱当接円弧とし、
前記丸穴の内周面にあって、前記剛性柱当接円弧を含む面は剛性柱当接面であり、前記くさび柱当接円弧を含む面はくさび柱当接面であり、
前記剛性柱断面の外周の前記一部分と前記くさび柱断面の外周の前記一部分は、前記丸穴の内周線と一致し、
前記剛性柱断面の面積は、前記丸穴断面の面積の１／２以上であり、
前記くさび柱に前記剛性柱方向へ向かう外力を加えると前記くさび柱は前記剛性柱に近付く方向に曲がって前記丸穴へのくさび柱と剛性柱の嵌め込みを容易化するものであり、
前記剛性柱と前記くさび柱を前記丸穴に嵌め込み前記端子板を前記筐体に付着した状態にあって、前記剛性柱当接面と前記剛性柱の外周の一部分が当接していて、前記くさび柱当接面と前記くさび柱の外周の一部分が当接していて、かつ、前記接触側面が前記回動防止壁に接触している、
太陽電池モジュール用の端子ボックス。
【請求項２】
前記くさび柱の先端部に鍔部を有し、前記端子板を前記筐体に付着した状態で、前記鍔部が前記端子板の表面に係止していることを特徴とする請求項１に記載した太陽電池モジュール用の端子ボックス。
【請求項３】
前記回動防止壁の先端部に軒を有し、前記端子板の側面の一部を回動防止壁に接触して配置した状態で、前記軒が前記端子板の表面に係止していることを特徴とする請求項１乃至２いずれかに記載した太陽電池モジュール用の端子ボックス。
【請求項４】
前記端子板はさらに角穴を有し、
前記接触側面は、前記角穴の一部側面である内面接触側面であり、
前記内面接触側面が前記回動防止壁に接触していることを特徴とする請求項１乃至３いずれかに記載した太陽電池モジュール用の端子ボックス。
【請求項５】
前記角穴は、出力電線受容部と前記丸穴の間に配置され、
前記内面接触側面は、角穴の側面の中で丸穴側に位置する側面であり、
前記内面接触側面は、第一直径線と平行な面であることを特徴とする請求項１乃至４いずれかに記載した太陽電池モジュール用の端子ボックス。
【手続補正２】
【補正対象書類名】明細書
【補正対象項目名】０００９
【補正方法】変更
【補正の内容】
【０００９】
本発明の一の態様にかかる太陽電池モジュール用の端子ボックスは、
太陽電池モジュールの出力電線と外部接続用のケーブルを電気的に中継する端子板が筐体内に配置された太陽電池モジュール用の端子ボックスにおいて、
端子板（１０）がケーブル接続部（１１）、出力電線受容部（１３）と丸穴（１４）を有し、かつ、前記端子板の側面の一部が接触側面であり、
筐体（３０）は、前記筐体の底板から立ち上がる剛性柱（３２）とくさび柱（３３）を有し、さらに前記筐体は回動防止壁（３５）を有し、
前記剛性柱と前記くさび柱を前記丸穴に嵌め込むことにより前記端子板を前記筐体に付着していて、
前記ケーブル接続部（１１）は外部接続用のケーブルが接続された部位であり、前記出力電線受容部（１３）は太陽電池モジュールの出力電線をつなぐ部位であり、
前記丸穴の内周断面にあって、前記ケーブル接続部（１１）の中央部（１１１）と前記丸穴の中心（１４２）を結ぶ線（１４３）に角度９０度で交差する第一直径線（１４５）で２に区分され、前記ケーブル接続部から遠い側の内周線を剛性柱当接円弧（１４６）とし、前記２に区分された内周線の他方である、前記ケーブル接続部に近い側の内周線をくさび柱当接円弧（１４７）とし、
前記丸穴の内周面にあって、前記剛性柱当接円弧を含む面は剛性柱当接面（１６）であり、前記くさび柱当接円弧を含む面はくさび柱当接面（１７）であり、
前記剛性柱断面の外周の前記一部分と前記くさび柱断面の外周の前記一部分は、前記丸穴の内周線と一致し、
前記剛性柱断面の面積は、前記丸穴断面の面積の１／２以上であり、
前記くさび柱に前記剛性柱方向へ向かう外力を加えると前記くさび柱は前記剛性柱に近付く方向に曲がって前記丸穴へのくさび柱と剛性柱の嵌め込みを容易化するものであり、
前記剛性柱と前記くさび柱を前記丸穴に嵌め込み前記端子板を前記筐体に付着した状態にあって、前記剛性柱当接面と前記剛性柱の外周の一部分が当接していて、前記くさび柱当接面と前記くさび柱の外周の一部分が当接していて、かつ、前記接触側面が前記回動防止壁に接触している。